(57)【要約】      （修正有）【課題】  チップモジュールと回路基板の間を電気的に接続し、導電端子に対して、チップモジュールが移動する傾向を防止でき、導電端子がチップモジュールに安定的に接触することを確保できるランドグリッドアレイ電気コネクタを提供する。【解決手段】  本電気コネクタ１は、複数の収容槽２０が開設される絶縁本体２と、絶縁本体の対応する収容槽に挿入され、弾性アーム３２，３３と弾性アームの末端に設けられる接触部３４，３５とを含む導電端子３と、を備える。その中で、絶縁本体の横方向に沿って行列のように配列される収容槽は、同じ方向に向けられるように並べる。これに対して、絶縁本体の縦方向に沿って行列のように配列される収容槽は、互いに隣接する収容槽の並べられる方向が異なる。そして、対応する収容槽に挿入される導電端子は、一部分の導電端子の弾性アームの延伸方向と他の導電端子の弾性アームの延伸方向が異なる。【選択図】図１
2006049260.tif 000002
【特許請求の範囲】
【請求項１】
チップモジュールと回路基板とを電気接続する電気コネクタにおいて、
複数の収容槽が開設される絶縁本体と、
弾性アームと弾性アームの末端に設けられる接触部とを含み且つ絶縁本体の対応する収容槽に挿入される導電端子と、を備え、
導電端子が収容槽に挿入される時、一部分の導電端子の弾性アームの延伸方向と他の導電端子の弾性アームの延伸方向は異なることを特徴とするランドグリッドアレイ電気コネクタ。
【請求項２】
前記導電端子は、前記絶縁本体の横方向に沿って行列のように配列される導電端子の弾性アームが同じ方向に伸びることを特徴とする請求項１に記載のランドグリッドアレイ電気コネクタ。
【請求項３】
前記絶縁本体の縦方向に沿って行列のように配列される導電端子は、互いに隣接する導電端子の弾性アームの延伸方向が異なることを特徴とする請求項２に記載のランドグリッドアレイ電気コネクタ。
【請求項４】
前記導電端子は、基部と、該基部の一端から延設される第１弾性アームと、該第１弾性アームの末端に設けられ、チップモジュールに接触する第１接触部と、を備えることを特徴とする請求項１に記載のランドグリッドアレイ電気コネクタ。
【請求項５】
前記導電端子は、基部と、該基部の他の一端から延設される第２弾性アームと、該第２弾性アームの末端に設けられ、回路基板に接続される第２接触部と、を備えることを特徴とする請求項４に記載のランドグリッドアレイ電気コネクタ。
【請求項６】
前記絶縁本体は、対称な二つの区域に分けられ、同じ区域に位置する導電端子の弾性アームの延伸方向が同じで、異なる区域に位置する導電端子の弾性アームの延伸方向が異なることを特徴とする請求項１に記載のランドグリッドアレイ電気コネクタ。
【発明の詳細な説明】
【技術分野】
【０００１】
本発明はランドグリッドアレイ電気コネクタに関し、特に、チップモジュールが載せられ、チップモジュールと回路基板の間に、電気接続を達成するランドグリッドアレイ電気コネクタに関するものである。
【背景技術】
【０００２】
ランドグリッドアレイ電気コネクタは、チップモジュールと回路基板の間に、電気接続を達成することを実現する。該電気コネクタは、導電片が設けられるチップモジュールと、回路基板に固定される絶縁本体と、該絶縁本体に挿入される複数の導電端子と、を備える。該導電端子は、弾性のアームと、該弾性のアームの末端に設けられる接触部と、を含む。押圧力によって、端子は、変形するとともに、チップモジュールの導電片に電気接続する。
【０００３】
図８〜図１１を参照すると、従来のランドグリッドアレイ電気コネクタ１’は、複数の収容槽２０’が設けられる絶縁本体２’と、チップモジュール４’に接続される接触部を含む導電端子３’と、を備える。該導電端子３’は、接触部が同じ方向に向けられるように配列され、収容槽２０’に収容される。ところが、押圧される時、導電端子３’とチップモジュール４’の間に、摩擦力が生じる。該この種のランドグリッドアレイ電気コネクタ１’は、導電端子３’の接触部の延伸方向が同じであることによって、同じ方向の摩擦力が生じる。そして、チップモジュール４’は、絶縁本体２’に対して、前記摩擦力によって、移動する傾向が生じる。更に、チップモジュール４’の導電片４０’が導電端子３’の接触部に接触することを確保にくい。
【０００４】
従って、前記の欠点を克服するために新たなランドグリッドアレイ電気コネクタを設計することが必要である。
【発明の開示】
【発明が解決しようとする課題】
【０００５】
本発明は、チップモジュールと回路基板の間を電気的に接続し、導電端子に対して、チップモジュールが移動する傾向を防止でき、導電端子がチップモジュールに安定的に接触することを確保できるランドグリッドアレイ電気コネクタを提供する。
【課題を解決するための手段】
【０００６】
本発明のランドグリッドアレイ電気コネクタは、チップモジュールと回路基板を電気接続するためのものである。該ランドグリッドアレイ電気コネクタは、複数の収容槽が開設される絶縁本体と、絶縁本体の対応する収容槽に挿入され、弾性アームと弾性アームの末端に設けられる接触部とを含む導電端子と、を備える。その中で、絶縁本体の横方向に沿って行列のように配列される収容槽は、同じ方向に向けられるように並べられる。これに対して、絶縁本体の縦方向に沿って行列のように配列される収容槽は、互いに隣接する収容槽の並べられる方向が異なる。そして、対応する収容槽に挿入される導電端子は、一部分の導電端子の弾性アームの延伸方向と他の導電端子の弾性アームの延伸方向が異なる。
【発明の効果】
【０００７】
従来の技術に比べると、本発明は以下の長所がある。前記ランドグリッドアレイ電気コネクタの導電端子の接触部が同じ方向に向けられるように配列されるため、導電端子とチップモジュールの間に、同じ方向の摩擦力が生じる。そして、絶縁本体は、該摩擦力によって、移動する傾向が生じる。しかし、本発明のランドグリッドアレイ電気コネクタの導電端子の接触部が異なる方向に向けられるように配列されるため、異なる方向の摩擦力が生じる。そして、絶縁本体は、該摩擦力によって、移動する傾向が生じにくく、チップモジュールが導電端子の接触部に接触することを確保できる。
【発明を実施するための最良の形態】
【０００８】
図１〜図７を参照すると、本発明のチップモジュール４と回路基板５の間に固着されるランドグリッドアレイ電気コネクタ１は、絶縁本体２と、導電端子３と、を備える。図１〜図３を参照すると、該板状の絶縁本体２は、上表面と下表面と、を含む。該絶縁本体２の上表面と下表面を貫通し、行列のように配列される複数の台形の収容槽２０が開設される。絶縁本体２の横方向に沿って行列のように配列される収容槽２０は、同じ方向に向けられるように並べられる。これに対して、絶縁本体２の縦方向に沿って行列のように配列される収容槽２０は、互いに隣接する収容槽２０の並べられる方向が異なる。且つ、各収容槽２０の広い開口の側面には、固定槽２００が開設される。
【０００９】
図１を参照すると、前記導電端子３は、ほぼＣ字のように製作される。これは、前記固定槽２００に固定される基部３０と、該基部３０の両端から横に延伸する第１弾性アーム３２、第２弾性アーム３３と、該第１、第２弾性アーム３２、３３の末端に外側へ突出するように設けられる第１接触部３４、第２接触部３５と、該第１、第２接触部３４、３５の自由端から内に向かって延設される第１延伸アーム３６、第２延伸アーム３７と、を備える。
【００１０】
図１、図２及び図３を参照すると、導電端子３は、絶縁本体２の対応する収容槽２０に収容される時、基部３０が各収容槽２０の固定槽２００に挿入され、第１、第２接触部３４、３５が各々絶縁本体２の上表面、下表面から突出する。そして、絶縁本体２に取り付けられる導電端子３は、行列のように配列される。且つ、前記絶縁本体２の横方向に沿って行列のように配列される導電端子３の第１弾性アーム３２が同じ方向に伸びる。それに対して、絶縁本体２の縦方向に沿って行列のように配列される導電端子３は、互いに隣接する導電端子３の第１弾性アーム３２の延伸方向が異なる。
【００１１】
図１〜図６を参照すると、ランドグリッドアレイ電気コネクタ１を取り付ける時、前記導電端子３を収容する前記絶縁本体２は、回路基板５に固着し、且つチップモジュール４と回路基板５の間に位置する。該チップモジュール４の底部には、モジュール導電片４０が設けられるのに対して、回路基板５の上表面には、回路基板導電片５０が設置される。そして、チップモジュール４が押圧されない時に、チップモジュール４と回路基板５の間に位置する導電端子２の第１接触部３４が、モジュール導電片４０に向けられるように設置され、第２接触部３５が、回路基板５の導電片５０に接触する。チップモジュール４が垂直な下向きに押圧される時、第２接触部３５が、回路基板５の導電片５０に接触するとともに、導電端子２が押されて変形し、第１接触部３４が、チップモジュール４のモジュール導電片４０に接触する。そして、導電端子３によって、チップモジュール４と回路基板５間の電気接続を達成する。図６を参照すると、その過程で、導電端子２は押されて、水平に移動して、モジュール導電片４０との水平な摩擦力Ｆ１、Ｆ２が生じる。
【００１２】
図５及び図６を参照すると、導電端子３が配列される方向が異なることによって、生じる摩擦力Ｆ１、Ｆ２の方向は異なる。そして、チップモジュール４が受ける最終の摩擦力は小さくなる。これにより、絶縁本体２に対して、チップモジュール４は、移動する傾向が生じにくくなる。
【００１３】
図７を参照すると、第２実施例において、絶縁本体３の収容槽２０が二つの対称な区域Ａ、Ｂに分けられる。同じ区域Ａ或いはＢに設けられる収容槽２０は、同じ方向に向けられるように配列される。これに対して、異なる区域に設置される収容槽２０は、配列される方向が異なる。そして、収容槽２０に収容される導電端子３は、収容槽２０に対応して、同じ区域Ａ或いはＢに位置する導電端子３の第１弾性アーム３２が同じ方向に伸びるのに対して、異なる区域に位置する導電端子３の第１弾性アーム３２の延伸方向が異なる。
【００１４】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００１５】
本発明はランドグリッドアレイ電気コネクタに関し、特に、チップモジュールと回路基板の間を電気的に接続し、導電端子に対して、チップモジュールが移動する傾向を防止でき、導電端子がチップモジュールに安定的に接触することを確保できるランドグリッドアレイ電気コネクタに関するものである。
【図面の簡単な説明】
【００１６】
【図１】本発明のランドグリッドアレイ電気コネクタの第１の実施の形態に係る立体図である。
【図２】本発明のランドグリッドアレイ電気コネクタの第１の実施の形態に係る俯視図である。
【図３】本発明のランドグリッドアレイ電気コネクタの第１の実施の形態に係る導電端子を除く立体図である。
【図４】本発明のランドグリッドアレイ電気コネクタの第１の実施の形態に係るチップモジュールが押圧されない状態の断面図である。
【図５】本発明のランドグリッドアレイ電気コネクタの第１の実施の形態に係るチップモジュールが押圧された状態の断面図である。
【図６】本発明のランドグリッドアレイ電気コネクタの図５に示されるＶＩの局部拡大図である。
【図７】本発明のランドグリッドアレイ電気コネクタの第２の実施の形態に係る俯視図である。
【図８】従来のランドグリッドアレイ電気コネクタの立体図である。
【図９】従来のランドグリッドアレイ電気コネクタの俯視図である。
【図１０】従来のランドグリッドアレイ電気コネクタのチップモジュールが押圧されない状態の断面図である。
【図１１】従来のランドグリッドアレイ電気コネクタのチップモジュールが押圧された状態の断面図である。
【符号の説明】
【００１７】
１  ランドグリッドアレイ電気コネクタ
１’ランドグリッドアレイ電気コネクタ
２  絶縁本体
２’絶縁本体
３  導電端子
３’導電端子
４  チップモジュール
４’チップモジュール
５  回路基板
２０  収容槽
２０’収容槽
３０  基部
３２  第１弾性アーム
３３  第２弾性アーム
３４  第１接触部
３５  第２接触部
３６  第１延伸アーム
３７  第２延伸アーム
４０  モジュール導電片
４０’モジュール導電片
５０  回路基板導電片
２００  固定槽
【図１】
2006049260.tif 000003
【図２】
2006049260.tif 000004
【図３】
2006049260.tif 000005
【図４】
2006049260.tif 000006
【図５】
2006049260.tif 000007
【図６】
2006049260.tif 000008
【図７】
2006049260.tif 000009
【図８】
2006049260.tif 000010
【図９】
2006049260.tif 000011
【図１０】
2006049260.tif 000012
【図１１】
2006049260.tif 000013